(57)【要約】【課題】胴体パーツと支柱との取り付け構造を工夫することで、様々なポーズを表現できるようにする。【解決手段】胴体パーツ２０は、上下方向に間隔をあけて配置された２つの蝶ボルト５６と蝶ボルト５６に螺合する蝶ナット５７とによって、支持部材５０とともに挟持されている。胴体パーツ２０は、下側の蝶ボルト５６の軸部を中心に回動可能に支持されている。上側の蝶ボルト５６は、胴体パーツ２０に形成された円弧状孔２０ｂに挿通され、胴体パーツ２０を回動させている間、円弧状孔２０ｂ内を相対的に移動する。胴体パーツ２０を所定の姿勢に維持した状態で蝶ボルト５６と蝶ナット５７を締め付けることで、胴体パーツ２０が支持部材５０に固定される。【選択図】図１０
2019010479.tif 000002
【特許請求の範囲】
【請求項１】
ダンボールで構成された人体を模した複数の板状のパーツが組み合わされ、支柱によって立設姿勢となるように支持されたダンボール製マネキンであって、
胴体部分を構成する胴体パーツと、
前記支柱に取り付けられるとともに、前記胴体パーツの厚さ方向に延びる中心軸が設けられ且つ該胴体パーツを該中心軸を中心に回動可能に支持する支持部材と、
前記胴体パーツを所定の姿勢で前記支持部材に対して固定する固定部材とを備えたことを特徴とするダンボール製マネキン。
【請求項２】
請求項１において、
前記胴体パーツには、前記中心軸に沿って周方向に延びる円弧状孔が形成され、
前記支持部材には、前記円弧状孔に対応して挿通孔が形成され、
前記固定部材は、前記円弧状孔及び前記挿通孔に挿通されるボルト部材と、該ボルト部材に螺合して前記胴体パーツ及び前記支持部材を狭持するナット部材とを有することを特徴とするダンボール製マネキン。
【請求項３】
請求項２において、
前記支持部材は、筒状に形成されて前記挿通孔が前記胴体パーツに対向する筒壁に形成された支持体を有し、
前記ボルト部材と前記ナット部材とによって、前記胴体パーツと前記支持体の筒壁とが挟持されていることを特徴とするダンボール製マネキン。
【請求項４】
請求項１乃至３のうち何れか１つにおいて、
前記支持部材は、筒状に形成されて前記支柱に沿って摺動可能な摺動体を有し、
前記支柱には、該支柱に沿って移動させて所定の高さ位置に保持可能で且つ前記摺動体の下部を受け止めるストッパ部材が取り付けられていることを特徴とするダンボール製マネキン。
【発明の詳細な説明】
【技術分野】
【０００１】
本発明は、ダンボール製マネキンに関するものである。
【背景技術】
【０００２】
従来より、人体を複数の板状部材によって構成し、これらの板状部材を人体に纏めて支柱に支持するようにしたボードマネキンが知られている（例えば、特許文献１参照）。
【０００３】
特許文献１には、複数の線材を接続してカゴ状に形成したカゴ部材を胴部の背面側に取り付け、カゴ部材に取り付けられたパイプに支柱の上端を差し込むことで、ボードマネキンを支持するようにした構成が開示されている。
【先行技術文献】
【特許文献】
【０００４】
【特許文献１】実用新案登録第３１６４７４６号公報
【発明の概要】
【発明が解決しようとする課題】
【０００５】
ところで、従来のボードマネキンでは、カゴ部材に取り付けられたパイプに支柱を差し込むことでボードマネキンを立設させており、例えば、ボードマネキンの上半身を横方向に傾斜させたポーズや、横向きに寝かせたポーズを表現することはできない。
【０００６】
ここで、ボードマネキンを横向きに寝かせた姿勢で支持するためには、カゴ部材の形状や支柱を差し込むためのパイプの向きを変更した部材に交換しなければならず、手間がかかるととともに、横向き姿勢用のカゴ部材の在庫管理が必要であり、煩雑となってしまう。
【０００７】
本発明は、かかる点に鑑みてなされたものであり、その目的は、胴体パーツと支柱との取り付け構造を工夫することで、様々なポーズを表現できるようにすることにある。
【課題を解決するための手段】
【０００８】
本発明は、ダンボールで構成された人体を模した複数の板状のパーツが組み合わされ、支柱によって立設姿勢となるように支持されたダンボール製マネキンを対象とし、次のような解決手段を講じた。
【０００９】
すなわち、第１の発明は、胴体部分を構成する胴体パーツと、
前記支柱に取り付けられるとともに、前記胴体パーツの厚さ方向に延びる中心軸が設けられ且つ該胴体パーツを該中心軸を中心に回動可能に支持する支持部材と、
前記胴体パーツを所定の姿勢で前記支持部材に対して固定する固定部材とを備えたことを特徴とするものである。
【００１０】
第１の発明では、支柱に取り付けられた支持部材には、胴体パーツが中心軸を中心に回動可能に支持される。胴体パーツは、所定の姿勢で支持部材に固定される。
【００１１】
このように、胴体パーツを中心軸を中心に回動させ、その姿勢を維持した状態で支持部材に固定することで、胴体パーツを横方向に傾斜させた姿勢や、胴体パーツを横向きに寝かせた姿勢など、様々なポーズを表現することができる。
【００１２】
第２の発明は、第１の発明において、
前記胴体パーツには、前記中心軸に沿って周方向に延びる円弧状孔が形成され、
前記支持部材には、前記円弧状孔に対応して挿通孔が形成され、
前記固定部材は、前記円弧状孔及び前記挿通孔に挿通されるボルト部材と、該ボルト部材に螺合して前記胴体パーツ及び前記支持部材を狭持するナット部材とを有することを特徴とするものである。
【００１３】
第２の発明では、胴体パーツの円弧状孔と支持部材の挿通孔には、ボルト部材が挿通される。そして、ボルト部材にナット部材を螺合させることで、胴体パーツ及び支持部材が挟持される。
【００１４】
このように、胴体パーツを中心軸を中心に回動させ、その姿勢を維持した状態でボルト部材とナット部材とを締め付けることで、胴体パーツの姿勢を固定することができる。
【００１５】
また、胴体パーツの姿勢を変更する際には、ナット部材を緩めて胴体パーツ及び支持部材の挟持状態を解除して胴体パーツを回動させるだけでよいため、作業性が向上する。
【００１６】
具体的に、胴体パーツを回動させている間、ボルト部材の軸部は、円弧状孔内を相対的に移動するため、ボルト部材が円弧状孔に引っかかることはなく、胴体パーツの回動動作の妨げになることはない。つまり、ボルト部材及びナット部材を胴体パーツや支持部材から取り外さなくても、ナット部材を緩めた状態で胴体パーツの姿勢変更を行うことができる。
【００１７】
第３の発明は、第２の発明において、
前記支持部材は、筒状に形成されて前記挿通孔が前記胴体パーツに対向する筒壁に形成された支持体を有し、
前記ボルト部材と前記ナット部材とによって、前記胴体パーツと前記支持体の筒壁とが挟持されていることを特徴とするものである。
【００１８】
第３の発明では、支持体の筒壁に挿通孔が形成され、ボルト部材とナット部材とを締め付けることで、胴体パーツと支持体の筒壁とが挟持される。
【００１９】
これにより、ボルト部材の頭部又はナット部材の何れかが、支持体の筒内に配置されて外部からは見えなくなるので、見栄えを良くすることができる。
【００２０】
第４の発明は、第１乃至第３の発明のうち何れか１つにおいて、
前記支持部材は、筒状に形成されて前記支柱に沿って摺動可能な摺動体を有し、
前記支柱には、該支柱に沿って移動させて所定の高さ位置に保持可能で且つ前記摺動体の下部を受け止めるストッパ部材が取り付けられていることを特徴とするものである。
【００２１】
第４の発明では、ストッパ部材を支柱に沿って移動させて所定の高さ位置に保持しておき、摺動体を支柱に沿って摺動させてストッパ部材で受け止めることで、胴体パーツを所定の高さ位置に位置付けることができる。
【発明の効果】
【００２２】
本発明によれば、胴体パーツを中心軸を中心に回動させることで、胴体パーツを横方向に傾斜させた姿勢や、胴体パーツを横向きに寝かせた姿勢など、様々なポーズを表現することができる。
【図面の簡単な説明】
【００２３】
【図１】本実施形態に係るダンボール製マネキンの構成を示す正面図である。
【図２】土台の構成を示す平面図である。
【図３】土台の構成を一部断面で示す側面図である。
【図４】胴体パーツの展開図である。
【図５】頭パーツを胴体パーツのスリットに差し込んだ状態を示す平面図である。
【図６】頭パーツを左右方向に揺動させた状態を示す背面図である。
【図７】支持部材の構成を示す平面断面図である。
【図８】胴体パーツを立設させた状態を示す背面図である。
【図９】胴体パーツを立設させた状態を示す正面図である。
【図１０】胴体パーツを横向きに寝かせた姿勢で固定した状態を示す正面図である。
【図１１】胴体パーツの高さ位置を調整した状態を示す側面断面図である。
【図１２】支柱の分割構造を説明する正面図である。
【図１３】本変形例に係る支持部材の構成を示す平面断面図である。
【発明を実施するための形態】
【００２４】
以下、本発明の実施形態を図面に基づいて説明する。なお、以下の好ましい実施形態の説明は、本質的に例示に過ぎず、本発明、その適用物或いはその用途を制限することを意図するものではない。各図には、前後左右の方向を矢印で示してある。特に言及しない限り、前後左右の方向についてはこれら矢印で示す方向に従って説明する。
【００２５】
〈全体構成〉
図１に示すように、ダンボール製マネキン１０は、ダンボールで構成された人体を模した複数の板状のパーツが組み合わされ、支柱１５によって立設姿勢となるように支持されている。
【００２６】
ダンボール製マネキン１０は、主に、胴体部分を構成する胴体パーツ２０と、頭部分を構成する頭パーツ３０と、上肢部分を構成する上肢パーツ３５と、下肢部分を構成する下肢パーツ４０とを有する。
【００２７】
胴体パーツ２０の肩部２１には、上肢パーツ３５が取り付けられている。胴体パーツ２０の腰部２５には、下肢パーツ４０が取り付けられている。支柱１５の上端部は、胴体パーツ２０の背面側で腰部２５よりも上方位置に取り付けられている。支柱１５の下端部は、土台６０に保持されている。
【００２８】
上肢パーツ３５は、上腕部分を構成する上腕パーツ３６と、前腕部分を構成する前腕パーツ３７と、手部分を構成する手パーツ３８とを有する。上腕パーツ３６の基端部は、関節部材４５を介して胴体パーツ２０の肩部２１に回動可能に支持されている。前腕パーツ３７の基端部は、関節部材４５を介して上腕パーツ３６の先端部に回動可能に支持されている。手パーツ３８の基端部は、関節部材４５を介して前腕パーツ３７の先端部に回動可能に支持されている。
【００２９】
下肢パーツ４０は、大腿部分を構成する大腿パーツ４１と、下腿部分を構成する下腿パーツ４２と、足部分を構成する足パーツ４３とを有する。大腿パーツ４１の基端部は、関節部材４５を介して胴体パーツ２０の腰部２５に回動可能に支持されている。下腿パーツ４２の基端部は、関節部材４５を介して大腿パーツ４１の先端部に回動可能に支持されている。足パーツ４３の基端部は、関節部材４５を介して下腿パーツ４２の先端部に回動可能に支持されている。
【００３０】
ここで、関節部材４５は、各パーツを厚み方向の両側から挟み込む一対の部材で構成されている。一方の関節部材４５には、図示しない締結ボルトが設けられ、他方の関節部材４５には、図示しない締結ナットが設けられている。
【００３１】
そして、締結ボルトの締め付け量を緩めることで、各パーツの傾斜角度を可変とする一方、締結ボルトの締め付け量を強くすることで、各パーツを所定の傾斜角度で保持できるようにしている。
【００３２】
なお、関節部材４５は、この形態に限定するものではなく、例えば、図示しない蝶ボルト及び蝶ナットを用いて各パーツを挟み込むようにしてもよい。また、関節部材４５は、例えば、透明の樹脂などで構成することで、目立ち難くさせてもよい。
【００３３】
また、各パーツの傾斜角度を調整して関節部材４５で保持した後、各パーツをダブルクリップ等でさらに把持して補強するようにすれば、各パーツが自重によってずれ動いて意図せずに傾斜角度が変化するのを抑えることができる。
【００３４】
ダンボール製マネキン１０には、シャツ１を着せたり、ズボン２や靴３を履かせることで、商品の展示を行うことができる。また、頭パーツ３０の顔部３１の耳周辺に孔をあけておけば、眼鏡やサングラスを着用することもできる。また、頭パーツ３０の頭部に帽子を被せてもよい。このように、シャツ１やズボン２以外にも様々なアイテムをダンボール製マネキン１０に装着することで、ディスプレイの表現の幅を広げることができる。
【００３５】
〈土台について〉
図２及び図３に示すように、土台６０は、ダンボールで構成された円形状の底板６１と、底板６１から上方に延びて支柱１５の下端部が差し込まれる差込口６２ａが形成された筒状体６２と、底板６１の底面に周方向に間隔をあけて配設され、底板６１を所定の高さ位置に支持する複数の支持脚６３とを有する。
【００３６】
底板６１は、複数のダンボール板６４が積層されて構成されている。本実施形態では、４枚のダンボール板６４を積層させることで、底板６１の厚み方向の剛性を高めるようにしている。また、底板６１は、円形状に形成されているので、四角形状に形成した場合に比べて、見た目がすっきりとした印象を与えることができる。
【００３７】
４枚のダンボール板６４のうち、最下部の１枚を除く上３枚のダンボール板６４には、四角形状の嵌込孔６１ａが形成されている。嵌込孔６１ａには、角筒状の筒状体６２が嵌め込まれている。嵌込孔６１ａは、底板６１の中心部よりも後方に離れた位置に形成されている。
【００３８】
詳しくは後述するが、支柱１５に取り付けられて胴体パーツ２０を支持する支持部材５０は、胴体パーツ２０の背面側に取り付けられた角筒状の支持体５１と、支持体５１の後側に取り付けられた角筒状の摺動体５２とを有する。
【００３９】
ここで、支柱１５の上部は、摺動体５２に嵌め込まれているので、胴体パーツ２０は、平面視で支柱１５よりも前方に位置することとなる。そこで、嵌込孔６１ａを底板６１の中心部よりも後方に離れた位置に形成することで、平面視で胴体パーツ２０が底板６１の中心部を横切るように配置できるようにしている。これにより、土台６０と胴体パーツ２０との重心バランスを取ることができる。
【００４０】
４枚のダンボール板６４のうち、最上部の１枚を除く下３枚のダンボール板６４には、径方向に延びる長方形状の嵌込孔６１ｂが形成されている。嵌込孔６１ｂには、支持脚６３が嵌め込まれている。支持脚６３は、例えば、１枚のダンボールを２つ折りすることで構成されている。
【００４１】
底板６１は、４つの支持脚６３によって、所定の高さ位置に支持される。これにより、ダンボール製の底板６１が床面に密着しなくなり、通気性が良くなる。その結果、土台６０が湿気を吸収して変形するのを抑えることができる。
【００４２】
〈胴体パーツについて〉
図４に示すように、胴体パーツ２０には、胴体パーツ２０の上縁部から背面側に折り返された折り返し部２２が一体形成されている。そして、胴体パーツ２０と折り返し部２２との境界部分における左右方向の略中央位置には、左右方向に延びるスリット２３が形成されている。胴体パーツ２０は、ダンボールで構成されているので、例えば、胴体パーツ２０の胸元にネックレスの画像をプリントすることで、ディスプレイの表現の幅を広げることができる。
【００４３】
胴体パーツ２０の肩部２１及び折り返し部２２には、関節部材４５の締結ボルトを挿通させる関節孔１１が形成されている。胴体パーツ２０と折り返し部２２とは、正面視で重なり合っており、肩部２１周辺の剛性を高めることができる。
【００４４】
胴体パーツ２０における肩部２１と腰部２５との間には、左右両側に広がるように延びる左右一対の補強梁部２８が一体形成されている。補強梁部２８を背面側に折り返すことで、胴体パーツ２０の左右両側の厚みが、胸部から腹部にかけてダンボール２枚分となる。これにより、胴体パーツ２０の剛性を高めるとともに、胴体パーツ２０の前後方向の倒れ込みや反りを抑えることができる。
【００４５】
頭パーツ３０は、顔部３１と、顔部３１に一体形成されて下方に延びる首部３２とを有する。頭パーツ３０は、ダンボールで構成されているので、顔部３１に任意の顔をプリントすることで、様々な表情を表現することができる。
【００４６】
図５及び図６に示すように、上腕パーツ３６の基端部は、胴体パーツ２０と折り返し部２２との間に配置されている。そして、上腕パーツ３６は、胴体パーツ２０及び折り返し部２２とともに関節部材４５によって挟持されるとともに、回動可能に支持されている。
【００４７】
頭パーツ３０の首部３２は、胴体パーツ２０と折り返し部２２との境界位置のスリット２３に差し込まれて、胴体パーツ２０と折り返し部２２との間に挟み込まれている。ここで、胴体パーツ２０と折り返し部２２とは、関節部材４５によって挟持されており、頭パーツ３０の首部３２は、上腕パーツ３６とともに、胴体パーツ２０と折り返し部２２との間で保持されることとなる。
【００４８】
これにより、頭パーツ３０を固定するための部品を別途設ける必要が無く、また、頭パーツ３０の首部３２を自由に傾けるとともに、任意の傾斜角度のまま頭パーツ３０を保持することができる。そして、頭パーツ３０を左右方向に傾けることで、首をかしげたような表情の他、人間の様々な表情や仕草などを表現することができる。
【００４９】
胴体パーツ２０の腰部２５には、胴体パーツ２０よりも左右方向に突出する係止部２６が設けられている。係止部２６は、斜め上方に傾斜して延びるフック形状に形成されている。そのため、ダンボール製マネキン１０にズボン２を履かせる際に、腰部２５辺りまでズボン２を持ち上げた後で係止部２６にズボン２を引っ掛けて仮置きして、その後、図示しないクリップ等でズボン２を固定するようにすれば、ズボン２がずり落ちることなく、作業性が向上する。
【００５０】
胴体パーツ２０における腰部２５よりも上方位置で且つ胴体パーツ２０の左右方向の中心位置（具体的には、胴体パーツ２０のへそ位置）には、中心孔２０ａが形成されている。また、胴体パーツ２０における中心孔２０ａよりも上方位置には、中心孔２０ａに沿って周方向に延びる円弧状孔２０ｂが形成されている。
【００５１】
〈支持部材について〉
図７〜図９に示すように、胴体パーツ２０の背面側における腰部２５よりも上方位置には、支柱１５の上部に取り付けられて胴体パーツ２０を支持する支持部材５０が設けられている。
【００５２】
支持部材５０は、上下方向に延びる角筒状に形成されて胴体パーツ２０の背面に対向する支持体５１と、上下方向に延びる角筒状に形成されて支持体５１の後側に取り付けられた摺動体５２とを有する。支持体５１と摺動体５２とは、例えば、接着剤によって接着されている。
【００５３】
支持体５１には、胴体パーツ２０に対向する筒壁（図７では前側壁）に挿通孔５１ａが形成されている。挿通孔５１ａは、胴体パーツ２０の中心孔２０ａと円弧状孔２０ｂに対応して、上下方向に間隔をあけて２つ形成されている。また、図７で支持体５１の右側壁にも同様に、上下方向に間隔をあけて挿通孔５１ａが２つ形成されている。
【００５４】
胴体パーツ２０と支持体５１との間には、スペーサ部材５３が挟み込まれている。これにより、胴体パーツ２０と支柱１５との間に隙間が設けられるので、この隙間にズボン２を入り込ませて胴体パーツ２０にズボン２を履かせることができる。
【００５５】
また、スペーサ部材５３を、ゴム材などの摩擦係数の高い材料で構成すれば、スペーサ部材が滑り止めとして機能するため、後述するように、胴体パーツ２０を回動させて横向きに寝かせた姿勢で固定したときに、意図せずに胴体パーツ２０が下方に回動するのを抑えることができる。
【００５６】
なお、スペーサ部材５３を挟み込むことなく、胴体パーツ２０と支持体５１とを当接させた状態で固定しても構わない。
【００５７】
胴体パーツ２０と支持部材５０とは、固定部材５５によって固定されている。固定部材５５は、ボルト部材としての蝶ボルト５６と、ナット部材としての蝶ナット５７とを有する。
【００５８】
蝶ボルト５６は、支持体５１の筒内から挿通孔５１ａに挿通されている。下側の挿通孔５１ａに挿通された蝶ボルト５６の軸部は、胴体パーツ２０の中心孔２０ａに挿通されている。上側の挿通孔５１ａに挿通された蝶ボルト５６の軸部は、胴体パーツ２０の円弧状孔２０ｂに挿通されている。
【００５９】
そして、胴体パーツ２０の正面側から蝶ボルト５６の軸部にワッシャ５４を嵌め込み、蝶ボルト５６の軸部の先端に蝶ナット５７を螺合させることで、胴体パーツ２０と支持体５１の筒壁とを、蝶ボルト５６と蝶ナット５７とで挟持するようにしている。これにより、胴体パーツ２０が所定の姿勢を維持した状態で、胴体パーツ２０を支持部材５０に固定することができる。
【００６０】
ここで、胴体パーツ２０は、下側の蝶ボルト５６の軸部を中心に回動可能に支持されている。つまり、下側の蝶ボルト５６の軸部が中心軸となっている。そして、上側及び下側の蝶ナット５７を緩めることで、胴体パーツ２０を下側の蝶ボルト５６を中心に横方向に回動させることができる。胴体パーツ２０を回動させている間、上側の蝶ボルト５６は、胴体パーツ２０の円弧状孔２０ｂ内を相対的に移動する。
【００６１】
胴体パーツ２０を回動させることで、例えば、図１０に示すように、胴体パーツ２０を横向きに寝かせた姿勢など、様々なポーズを表現することができる。そして、胴体パーツ２０を所定の姿勢に維持した状態で、蝶ボルト５６と蝶ナット５７とを締め付けることで、胴体パーツ２０を所定の姿勢で固定することができる。
【００６２】
また、胴体パーツ２０の姿勢を変更する際には、蝶ナット５７を緩めて胴体パーツ２０及び支持部材５０の挟持状態を解除して胴体パーツ２０を回動させるだけでよいため、作業性が向上する。
【００６３】
図１１にも示すように、摺動体５２には、支柱１５の上部が嵌め込まれている。摺動体５２は、支柱１５に沿って上下方向に摺動可能となっている。支柱１５における摺動体５２の下方には、ストッパ部材５８が取り付けられている。ストッパ部材５８は、例えば、スポンジ材などの発泡材で構成され、支柱１５に沿って上下方向に移動させた後で、ストッパ部材５８と支柱１５との摩擦によって所定の高さ位置に保持可能となっている。
【００６４】
そして、摺動体５２を支柱１５に沿って摺動させ、摺動体５２の下部をストッパ部材５８で受け止めることで、摺動体５２がその高さ位置に位置付けられることとなる。これにより、支持部材５０とともに胴体パーツ２０を上下方向に移動させて胴体パーツ２０の高さ位置の調整をすることができる。
【００６５】
〈支柱について〉
図１２に示すように、支柱１５は、上側柱部１６と、下側柱部１７とに分割可能に構成されている。具体的に、上側柱部１６及び下側柱部１７は、円筒状に形成されている。下側柱部１７の上端部には、上側柱部１６の筒内径と略同じ外径のジョイント部１８が設けられている。上側柱部１６は、下側柱部１７のジョイント部１８に嵌め込まれている。
【００６６】
支柱１５の下端部は、土台６０の筒状体６２に挿通されており、支柱１５を上方に引っ張ることで、土台６０から引き抜くことができる。
【００６７】
ここで、ダンボール製マネキン１０を分解して持ち運ぶ際に用いる運搬ケース（図示省略）の大きさは、支柱１５の全長に依存するため、土台６０から支柱１５を引き抜き、支柱１５を上側柱部１６と下側柱部１７とに分割することで、運搬ケースがコンパクトな構成となり、持ち運び易くなる。そして、設置現場で上側柱部１６と下側柱部１７とを繋ぐことで、１本の支柱１５を構成することができる。
【００６８】
《変形例》
図１３に示すように、本変形例では、胴体パーツ２０に対する支持部材５０の取り付けを、前記実施形態１の図７に示す支持部材５０とは異なる方向で行うようにしている。
【００６９】
具体的に、図７に示す例では、支持部材５０の支持体５１と摺動体５２とが前後方向に並ぶように、胴体パーツ２０の背面に支持部材５０を取り付けている。そして、支持体５１の前側の筒壁と右側の筒壁とに、挿通孔５１ａが形成されている。
【００７０】
これに対し、図１３に示す例では、支持部材５０の支持体５１と摺動体５２とが左右方向に並ぶように、胴体パーツ２０の背面に支持部材５０を取り付けている。具体的には、図７で右側の筒壁が胴体パーツ２０の背面に対向するように、支持体５１を反時計回り方向に９０°回転させた状態で、胴体パーツ２０の背面に支持部材５０を取り付けている。
【００７１】
このように、支持体５１の筒壁の一側面と、この面に直交する他側面とに、それぞれ挿通孔５１ａを形成しておけば、１つの支持部材５０を用いて、胴体パーツ２０に対する支持部材５０の取付方向を切り替えることができる。
【００７２】
本変形例では、図１３に示すように、支持体５１と摺動体５２とが左右方向に並ぶように、胴体パーツ２０の背面に支持部材５０を取り付けている。この状態で、摺動体５２に支柱１５を嵌め込むと、胴体パーツ２０と支柱１５との距離が近づくこととなり、胴体パーツ２０の重心位置の近くで、支柱１５によって胴体パーツ２０を支持することができる。
【００７３】
また、支持部材５０の支持体５１と摺動体５２とが左右方向に並ぶ配置としたことで、支柱１５が、胴体パーツ２０の中心位置よりも右側に離れた位置で立設することとなる。これにより、展示用のダンボール製マネキン１０に履かせる際に、右足の下肢パーツ４０とともに支柱１５をズボン２に挿通させることができる。
【００７４】
《その他の実施形態》
前記実施形態については、以下のような構成としてもよい。
【００７５】
本実施形態では、胴体パーツ２０を支柱１５のみで立設姿勢となるように支持する構成としているが、ダンボール製マネキン１０が転倒したり、胴体パーツ２０が自重によって前傾姿勢とならないように、図示しないクリップで支持部材５０の筒壁を挟み、クリップにテグスを結び付けておくことで、支持部材５０を後方から引っ張って支えるようにしてもよい。
【００７６】
また、本実施形態では、人体の全身を模したダンボール製マネキン１０について説明したが、例えば、胴体パーツ２０から下肢パーツ４０を除いた上半身のみでダンボール製マネキン１０を形成して、卓上に展示できるようなコンパクトな構成としてもよい。
【産業上の利用可能性】
【００７７】
以上説明したように、本発明は、胴体パーツと支柱との取り付け構造を工夫することで、様々なポーズを表現することができるという実用性の高い効果が得られることから、きわめて有用で産業上の利用可能性は高い。
【符号の説明】
【００７８】
１０    ダンボール製マネキン
１５    支柱
２０    胴体パーツ
２０ｂ  円弧状孔
５０    支持部材
５１    支持体
５１ａ  挿通孔
５２    摺動体
５３    スペーサ部材
５５    固定部材
５６    蝶ボルト（ボルト部材、中心軸）
５７    蝶ナット（ナット部材）
５８    ストッパ部材
【図１】
2019010479.tif 000003
【図２】
2019010479.tif 000004
【図３】
2019010479.tif 000005
【図４】
2019010479.tif 000006
【図５】
2019010479.tif 000007
【図６】
2019010479.tif 000008
【図７】
2019010479.tif 000009
【図８】
2019010479.tif 000010
【図９】
2019010479.tif 000011
【図１０】
2019010479.tif 000012
【図１１】
2019010479.tif 000013
【図１２】
2019010479.tif 000014
【図１３】
2019010479.tif 000015